(57)【要約】【課題】全体構造が長方形で、人体工学に符合する折畳イスの脚交差連結桿新構造を提供する。【解決手段】折畳イスの脚交差連結桿新構造は、構造を開いた時、外観が一長方形であり、主に前脚桿構造、後脚桿構造、長交差板、短交差板と手すり桿可動構造から構成される。そのうち、この前脚桿構造は前脚桿、底台、接合カバー、前脚桿接合台を含む。後脚桿構造は後脚桿、底台、接合カバー、後脚桿接合台を含む。長交差板と短交差板の外観は細長形状で、その中央と両端にはそれぞれ接合孔がある。手すり桿可動構造は主桿、固定カバーを含む。【選択図】図２
0003139891.tif 000002
【実用新案登録請求の範囲】
【請求項１】
主に後脚桿構造、前脚桿構造、長交差板、短交差板と手すり桿可動構造から構成された折畳イスの脚交差連結桿新構造において、そのうち、
後脚桿、底台、接合カバー、後脚桿接合台を含む後脚桿構造と、
前脚桿、底台、接合カバー、前脚桿接合台を含む前脚桿構造と、
主桿と固定カバーを含む手すり桿可動構造から構成され、
長交差板と短交差板は中央と両端にそれぞれ接合孔を設置し、両長交差板は相互に交差し、中央の接合孔でX型を形成して固定し、次に両後脚桿構造と両前脚桿構造の間に設置して全体構造の前、後面を構成し、
両短交差板は相互に交差し、中央の接合孔で固定してX型を形成し、次に後脚桿構造及び前脚桿構造の間に設置して前、後の面積が小さい左、右面に設置して、全体構造を開いた時に長方形を形成し、
長交差板は一端を後脚桿接合台、前脚桿接合台に設置し、別一端を底台上に設置し、短交差板は一端を後脚桿接合台、前脚桿接合台に設置し、別一端を接合カバー上に設置することを特徴とする折畳イスの脚交差連結桿新構造。
【請求項２】
前記接合カバーは、後脚桿、前脚桿の桿体中央附近の適する位置に設置して固定し、後脚桿接合台、前脚桿接合台はそれぞれ後脚桿、前脚桿の桿体最上端に設置し、後脚桿、前脚桿の桿体に沿って上下移動し、前脚桿接合台の下端は円筒カバーが伸び、前脚桿桿体に嵌合することを特徴とする請求項１記載の折畳イスの脚交差連結桿新構造。
【請求項３】
前記前脚桿結合座と後脚桿接合台は、それぞれ前脚桿、後脚桿の桿体の最上端近くの適する位置に固定し、接合カバーは前脚桿、後脚桿の桿体に嵌合して前脚桿、後脚桿の桿体に沿って上下移動し、底台上端は突出して円筒カバーが伸び、且つ前脚桿と後脚桿下端で嵌合し、前脚桿、後脚桿の桿体で上下移動することを特徴とする請求項１記載の折畳イスの脚交差連結桿新構造。
【請求項４】
前記接合カバーは、前脚桿、後脚桿の桿体中央附近の適する位置に嵌合して固定し、底台は前脚桿、後脚桿の桿体下端で嵌合し、その上端は突出した円筒カバーが伸び、且つ前脚桿と後脚桿下端で嵌合し、前脚桿、後脚桿の桿体で上下移動することを特徴とする請求項１記載の折畳イスの脚交差連結桿新構造。
【考案の詳細な説明】
【技術分野】
【０００１】
本考案は、一種の椅子構造で、特に戸外で使用する折畳イス脚の交差連結桿新構造に係る。
【背景技術】
【０００２】
第八図に示すのは、公告番号401788の折畳イスであり、これは前案の技術構造である。そのうち、前、後面と左、右面の交差板０１はすべて同等の長さ設計であるため、構造全体を開くと、正方形になる。
【特許文献１】台湾  実用新案登録第４０１７８８号
【考案の開示】
【考案が解決しようとする課題】
【０００３】
解決しようとする問題点は、この正方形状のイスに人が座った場合、正面に必要な空間は側面より大きくなければならず、正方形の構造では制限がある。仮に正面面積を大きくすると、側面面積も共に大きくなり、そのため正方形状の構造設計は人体工学に符合せず、材料を浪費してコストが高くなる点である。
【課題を解決するための手段】
【０００４】
本考案は、構造を開いた時、外観が一長方形であり、主に前脚桿構造、後脚桿構造、長交差板、短交差板と手すり桿可動構造から構成される。そのうち、この前脚桿構造は前脚桿、底台、接合カバー、前脚桿接合台を含む。後脚桿構造は後脚桿、底台、接合カバー、後脚桿接合台を含む。長交差板と短交差板の外観は細長形状で、その中央と両端にはそれぞれ接合孔がある。手すり桿可動構造は主桿、固定カバーを含むことを最も主要な特徴とする。
【考案の効果】
【０００５】
本考案の折畳イスの脚交差連結桿新構造は、下述の利点がある。
長所1、本考案は異なる長さの長交差板と短交差板を採用し、それぞれ大小異なる両X型構造を形成するため、構造全体が人体工学に符合する長方形形状である。
長所2、本考案の構造左、右両面の短交差桿両端はそれぞれ桿体中段附近の接合カバーと、桿体上端の前支桿接合台、後支桿接合台に設置するため、小さな面積でX型構造を形成する。
【考案を実施するための最良の形態】
【０００６】
第一、二、三、四図に示すのは、本考案の各説明指示図であり、公知の欠点を改善した。本考案は一種の折畳椅子の交差連結桿新構造である。
【０００７】
第一、二、三、四、五、六、七図に示すのは、それぞれ本考案の各説明図である。本考案は、一種の折畳イス脚桿の交差連結桿新構造であり、イス全体を開くと、一長方形を形成する。これは主に後脚桿構造１０、前脚桿構造２０、長交差板３０、短交差板４０、及び手すり桿可動構造５０から構成される。そのうち、後脚桿構造１０は後脚桿１１、底台１２、接合カバー１３及び後脚桿接合台１４を含み、またその後脚桿１１の外観は円柱形状である。底台１２は枢設耳１２１を設置し、そこに長交差板３０を設置する。接合カバー１３は後脚桿１１の中段附近の適する位置に嵌合して固定し、そこに枢設耳１３１を設置して短交差板４０を設置するのに用いる。後脚桿１１の接合台１４は後脚桿１１上に嵌合し、そこには枢設耳１４１を設置して長交差板３０及び短交差板４０を設置するのに用いる。
【０００８】
前脚桿構造２０は、前脚桿２１、底台１２、接合カバー１３、前脚桿接合台２２を含み、また前脚桿２１外観は円柱形状である。この前脚桿接合台２２は前脚桿２０上に嵌合し、そこに枢設耳２２１を設置して長交差板３０及び短交差板４０を設置するのに用い、その下端には突出した一円筒カバー２２２を設置する。
【０００９】
長交差板３０と短交差板４０の外観はどちらも細長形状で、且つその両端と中央の適する箇所にはそれぞれ接合孔３０１を設置し、両長交差板３０を交差し、中央で一X型を形成して固定する。その後両後脚桿構造１０、もしくは両前脚桿構造２０の間で整体構造の前、後面に設置し、両短交差板４０を交差して中央で一X型に形成し固定する。その後、一後脚桿構造１０及び一前脚桿構造２０の間に設置すると、全体構造の左、右面が形成される。
【００１０】
手すり桿可動構造５０は、主桿５１、固定カバー５２を含み、主桿５１は円柱形状である。そのうちの一端には接合凸桿５１１を設置し、そこに固定カバー５２を設置し、別一端には嵌合継ぎ手５１２を設置する。この嵌合継ぎ手５１２内部には一嵌合凹槽５１３が設置され、下方には突出した固定挟み５１４を設置する。嵌合凹槽５１３は構造が開いた時、前脚桿２１の最上端を嵌合して構造全体を固定する。また固定挟み５１４は構造が閉じた時、後脚桿１１の桿体で挟んで位置を固定する。固定カバー５２は後脚桿１１で嵌合し、主桿５１は後脚桿１１を支点として左右に回転させ、且つ後脚桿１１に沿って上下移動する。
【００１１】
本考案は、両後脚桿構造１０、両前脚桿構造２０、四長交差板３０、四短交差板４０と両手すり桿可動構造５０から構成される。そのうち，底台１２を後脚桿１１底部に設置し、その後接合カバー１３を後脚桿１１上に嵌合し、後脚桿１１桿体の中央附近の適する位置に設置して固定する。次に後脚桿接合台１４を嵌め込んで後脚桿構造１０の組立を完成する。底台１２を前脚桿２１底部に設置し、次に接合カバー１３を前脚桿２１上に嵌合し、前脚桿２１桿体の中央附近の適する位置に設置して固定し、その後前脚桿接合台２２を嵌め込んで前脚桿構造２０の組立を完成する。両長交差板３０を交差し、中央の接合孔３０１で一X型構造を形成して固定し、次に両端の接合孔３０２をそれぞれ両後脚桿構造１０の底台１２の枢設耳１２１と、後脚桿接合台１４の枢設耳１４１で固定して全体構造の前、後面を形成する。両短交差板４０を交差し、中央の接合孔４０１で固定して別の一X型構造を形成する。そしてそのうちの一短交差板４０両端の接合孔４０２はそれぞれ一後脚桿構造１０の接合カバー１３の枢設耳１３１と、一前脚桿構造２０の前脚桿接合台２２の枢設耳２２１で固定する。別の一短交差板４０両端の接合孔４０２はそれぞれ一後脚桿構造１０の後脚桿接合台１４の枢設耳１４１と、一前脚桿構造２０の接合カバー１３の枢設耳１３１で固定して整体構造の左右面を形成する。固定カバー５２を装置於主桿５１の接合凸桿５１１に設置して手すり桿可動構造５０を完成する。
【００１２】
後脚桿１１と前脚桿２１を外向きに伸ばし、次にイス座台布の四隅をそれぞれ両後脚桿１１と両前脚桿２１に設置し、そして両手すり桿可動構造５０の固定カバー５２を両後脚桿１１に嵌合し、同じく前脚桿接合台２２の嵌合凹槽５１３を前脚桿２１最上端に嵌合すると、イスの組立が完成し、構造が開く。イス構造を閉じたい時、ただ前脚桿接合台２２を前脚桿２１から下へ下げ、次に主桿５１を下へ下ろし、前脚桿接合台２２上の固定挟み５１４を後脚桿１１桿体に挟んで固定し、最後に力を入れて後脚桿１１と前脚桿２１を内側へ引き寄せる。この時接合カバー１３は既に固定されるため、後脚桿接合台１４と前脚桿接合台２２は上へ持ち上げられ、長交差板、短交差板を伴って開いたX字型がI字型に閉じ、収納が完成する。
【実施例１】
【００１３】
第六図が示すのは、本考案の別の実施例一である。そのうち、長交差板３０は一端が後脚桿接合台１４、前脚桿接合台２２に設置され、別一端は底台１２に設置される。また短交差板４０は一端が後脚桿接合台１０、前脚桿接合台２０に設置され、別一端が接合カバー１３に設置される。前脚桿結合座２２と後脚桿接合台１４は、それぞれ前脚桿２１、後脚桿１１桿体の最上端近くの適する位置に固定し、接合カバー１３は前脚桿２１、後脚桿１１の桿体上に嵌合して前脚桿２１、後脚桿１１の桿体に沿って上下移動する。また底台１２上端は一円筒カバー１２２が伸び、前脚桿２１と後脚桿１１下端に嵌合し、沿著前脚桿２１、後脚桿１１の桿体に沿って上下移動する。これらによって構造全体を収納する時、上端の前脚桿結合座２２と後脚桿接合台１４は既に固定されているため、底台１２は下へ押されると、長交差板３０と短交差板４０を伴って内側へ引き寄せて収納を完成する。
【実施例２】
【００１４】
第七図に示すのは、本考案の別の実施例二である。そのうち、長交差板３０は一端が後脚桿接合台１４、前脚桿接合台２２に設置され、別一端が底台１２上に設置される。短交差板４０は一端が底台１２に設置され、別一端が接合カバー１３上に設置される。この接合カバー１３は前脚桿２１、後脚桿１１の桿体中央附近の適する位置に嵌合されて固定される。この底台１２は前脚桿２１、後脚桿１１の桿体下端に嵌合され、その上端は一円筒カバー１２２が伸び、且つ前脚桿２１と後脚桿１１下端に嵌合され、前脚桿２１、後脚桿１１の桿体に沿って上下移動する。構造全体を収納する時、接合カバー１３は既に固定されているため、底台１２が下へ押されると、長交差板３０と短交差板４０を伴って内側へ引き寄せ、収納を完成する。
【図面の簡単な説明】
【００１５】
【図１】本考案の立体図である。
【図２】本考案の構造を開いた状態図である。
【図３】本考案の構造前面図である。
【図４】本考案の構造側面図である。
【図５】本考案の構造を閉じた状態図である。
【図６】本考案の別の一実施例一の側面から見た動作図である。
【図７】本考案の別の一実施例二の側面から見た動作図である。
【図８】公告番号401788の折畳イス指示図である。
【符号の説明】
【００１６】
１０        後脚桿構造
１１        後脚桿
１２        底台
１２１        枢設耳
１２２        円筒カバー
１３        接合カバー
１３１        枢設耳
１４        後脚桿接合台
１４１        枢設耳
２０        前脚桿構造
２１        前脚桿
２２        前脚桿接合台
２２１        枢設耳
２２２        円筒カバー
３０        長交差板
３０１        接合孔
３０２        接合孔
４０        短交差板
４０１        接合孔
４０２        接合孔
５０        手すり桿可動構造
５１        主桿
５１１        接合凸桿
５１２        嵌合継ぎ手
５１３        嵌合凹槽
５１４        固定挟み
５２        固定カバー
０１        交差板
【図１】
0003139891.tif 000003
【図２】
0003139891.tif 000004
【図３】
0003139891.tif 000005
【図４】
0003139891.tif 000006
【図５】
0003139891.tif 000007
【図６】
0003139891.tif 000008
【図７】
0003139891.tif 000009
【図８】
0003139891.tif 000010